(57)【特許請求の範囲】
【請求項１】
遊技球が流下する遊技領域を有する遊技盤と、前記遊技領域に向けて遊技球を発射する発射装置と、これら遊技盤と発射装置が取り付けられた本体枠と、この本体枠の前面に一側部を軸着して開閉自在に取り付けられた前面扉と、この前面扉の他側部を前記本体枠に対して施錠する施錠装置と、前記前面扉に取り付けられて前記発射装置の発射強度を調整する操作ハンドルとを備え、前記施錠装置の鍵穴に差し込んだ鍵を一方向へ回動することによって前記前面扉が開錠される弾球遊技機において、
前記本体枠に前記鍵の開錠動作に連動してロック位置からアンロック位置へ移動する第１ロック部材を配設し、この第１ロック部材をロック位置で前記前面扉に設けた第１係合部と係合させると共に、前記前面扉に前記第１ロック部材に連動してロック位置とアンロック位置との間を移動する第２ロック部材を配設し、この第２ロック部材をロック位置で前記本体枠に設けた第２係合部と係合させたことを特徴とする弾球遊技機。
【請求項２】
請求項１の記載において、前記第１ロック部材が支軸を中心にシーソ動作する揺動レバーからなり、この揺動レバーの一端部に前記第１係合部と係脱可能な第１作動部が形成されていると共に、前記第２ロック部材が、前記揺動レバーのシーソ動作によって回転する中継レバーと、この中継レバーの回転に連動してスライドするスライドレバーとからなり、このスライドレバーの一端部に前記第２係合部と係脱可能な第２作動部が形成されていることを特徴とする弾球遊技機。
【請求項３】
請求項１または２の記載において、前記本体枠の下側隅部にスピーカが配置されると共に、前記前面扉の軸着側の隅部に前記スピーカを露呈させる切欠きが形成されており、この切欠きの近傍位置で前記第２ロック部材が前記第２係合部と係脱されることを特徴とする弾球遊技機。
【発明の詳細な説明】
【技術分野】
【０００１】
本発明は、遊技球を用いて遊技を行う弾球遊技機に係り、特に、遊技盤等を収容する本体枠の前面に開閉自在に取り付けられた前面扉のロック機構に関するものである。
【背景技術】
【０００２】
パチンコ機に代表される弾球遊技機は、遊技場の島設備に設置される縦長方形状の機枠と、この機枠に扉状に開閉自在に取り付けられた本体枠と、この本体枠の前面に扉状に開閉自在に取り付けられた前面扉とを備えており、本体枠の内側には遊技盤や発射装置等が収容されている。遊技盤はガイドレール等によって区画形成された遊技領域を有しており、この遊技領域には可変表示装置や始動入賞口、一般入賞口、アタッカー装置、遊技釘、風車、アウト口等が設けられている。前面扉の一側部はヒンジを介して本体枠の前面に軸着されており、本体枠の前面には前面扉の他側部（開放端）を施錠／開錠する施錠装置が設けられている。常態では、前面扉の開放端は施錠装置によって本体枠に施錠されており、何人も内部の遊技盤や電子機器等に触れることができないようになっている。この前面扉の中央部には遊技盤の盤面を臨む開口が設けられており、この開口は透明なガラス板によって塞がれている。また、前面扉の前面下部には遊技球を収容する受皿が設けられており、この受皿の側部には発射装置の発射強度を調整する操作ハンドルが設けられている。
【０００３】
このように概略構成された弾球遊技機において、常態では、前面扉の一側部が本体枠に軸着されると共に、前面扉の開放端である他側部が施錠装置によって本体枠に施錠されているため、前面扉を自由に開けることはできないようになっている。しかしながら、前面扉は左右両側部が軸着部と施錠部とで本体枠に固定されているものの、前面扉の中央部は本体枠に対して何ら固定されていないため、前面扉の中央部を前側へ引張って撓ませることによって、例えばアタッカー装置の開放扉とガラス板との間に遊技球を挟ませて多量の賞球を不正に得たり、前面扉と本体枠の隙間からピアノ線等を挿入して遊技釘を曲げるといった不正行為が行われる可能性がある。
【０００４】
そこで、従来より、本体枠の下部中央に係止ピンを突設すると共に、前面扉の裏面にレバー状の撓み防止片を揺動可能に支持し、常態で撓み防止片の一端を係止ピンに係止させることにより、前面扉の中央部も本体枠に固定できるようにした弾球遊技機が提案されている（例えば、特許文献１参照）。このものは、施錠装置の鍵穴に挿入した鍵を開錠方向へ回動すると、それに伴って撓み防止片がシーソー動作して係止ピンとの係合状態を解除するようになっている。
【先行技術文献】
【特許文献】
【０００５】
【特許文献１】特開２００６−１９２０２８号公報
【発明の概要】
【発明が解決しようとする課題】
【０００６】
前述したように、特許文献１に開示された従来の弾球遊技機では、前面扉の左右両側部が軸着部と施錠部とで本体枠に固定されるだけでなく、前面扉の中央部が撓み防止片と係止ピンとの係合によって本体枠にロックされるため、縦長方形状の前面扉の固定強度を高めて不正行為を抑制することができる。しかしながら、前面扉の外形形状は必ずしも方形であるとは限らず、例えば本体枠の下側隅部に大型スピーカ等の突出物を配置する場合、その突出物を露呈させるために前面扉の軸着側の隅部を切り欠かなければならず、前面扉は下側隅部に円弧状の切欠き部を有する外形形状となる。この場合、切欠き部が前面扉の軸着部であるヒンジから離れてしまうだけでなく、前面扉の中央部の固定箇所（撓み防止片と係止ピンとの係合部分）からも離れてしまうため、切欠き部の周囲を前側へ引張ると前面扉が本体枠から浮いてしまい、不正行為の抑止効果が著しく低下してしまうことになる。なお、このような問題は一枚の前面扉によって本体枠の前面全体を覆うようにした弾球遊技機に限らず、上下に２分割された分割タイプの前面扉を用いて本体枠の上部（遊技盤）と下部（発射装置）を別々に覆うようにした弾球遊技機についても同様に生じる。
【０００７】
本発明は、このような従来技術の実情に鑑みてなされたもので、その目的は、外形形状に拘わらず前面扉を本体枠に対して確実に固定できるようにした弾球遊技機を提供することにある。
【課題を解決するための手段】
【０００８】
上記の目的を達成するために、本発明は、遊技球が流下する遊技領域を有する遊技盤と、前記遊技領域に向けて遊技球を発射する発射装置と、これら遊技盤と発射装置が取り付けられた本体枠と、この本体枠の前面に一側部を軸着して開閉自在に取り付けられた前面扉と、この前面扉の他側部を前記本体枠に対して施錠する施錠装置と、前記前面扉に取り付けられて前記発射装置の発射強度を調整する操作ハンドルとを備え、前記施錠装置の鍵穴に差し込んだ鍵を一方向へ回動することによって前記前面扉が開錠される弾球遊技機において、前記本体枠に前記鍵の開錠動作に連動してロック位置からアンロック位置へ移動する第１ロック部材を配設し、この第１ロック部材をロック位置で前記前面扉に設けた第１係合部と係合させると共に、前記前面扉に前記第１ロック部材に連動してロック位置とアンロック位置との間を移動する第２ロック部材を配設し、この第２ロック部材をロック位置で前記本体枠に設けた第２係合部と係合させるようにした。
【０００９】
このように構成された弾球遊技機では、第１係合部に係合して前面扉を所定位置に固定する第１ロック部材と、第２係合部に係合して前面扉を別位置に固定する第２ロック部材とが、それぞれ本体枠と前面扉に振り分けて配設されており、施錠装置の鍵穴に差し込んだ鍵の開錠動作に連動して第１ロック部材をアンロック位置へ移動させると共に、この第１ロック部材に連動して第２ロック部材をアンロック位置へ移動させるようにしたので、前面扉を本体枠に対して第１係合部と第２係合部の２箇所で確実に固定することができ、しかも、前面扉と本体枠とで挟まれたスペース内に第１ロック部材と第２ロック部材を無理なく配置することができる。
【００１０】
上記の構成において、第１ロック部材が支軸を中心にシーソ動作する揺動レバーからなり、この揺動レバーの一端部に第１係合部と係脱可能な第１作動部が形成されていると共に、第２ロック部材が、揺動レバーのシーソ動作によって回転する中継レバーと、この中継レバーの回転に連動してスライドするスライドレバーとからなり、このスライドレバーの一端部に第２係合部と係脱可能な第２作動部が形成されていると、揺動レバーと中継レバーおよびスライドレバーを限られたスペース内にコンパクトに配置することができると共に、第１ロック部材から第２ロック部材への動力伝達を確実に行うことができて好ましい。
【００１１】
また、上記の構成において、本体枠の下側隅部にスピーカが配置されると共に、前面扉の軸着側の隅部にスピーカを露呈させる切欠きが形成されており、この切欠きの近傍位置で第２ロック部材が第２係合部と係脱されるようにすると、本体枠の下側隅部に大型スピーカを配置するという斬新なデザインを実現した上で、スピーカを露呈させる前面扉の切欠き近傍を本体枠に固定することができる。
【発明の効果】
【００１２】
本発明の弾球遊技機は、第１係合部に係合して前面扉を所定位置に固定する第１ロック部材と、第２係合部に係合して前面扉を別位置に固定する第２ロック部材とが、それぞれ本体枠と前面扉に振り分けて配設されており、施錠装置の鍵穴に差し込んだ鍵の開錠動作に連動して第１ロック部材をアンロック位置へ移動させると共に、この第１ロック部材に連動して第２ロック部材をアンロック位置へ移動させるようにしたので、前面扉を本体枠に対して第１係合部と第２係合部の２箇所で確実に固定することができ、しかも、前面扉と本体枠とで挟まれたスペース内に第１ロック部材と第２ロック部材を無理なく配置することができる。
【図面の簡単な説明】
【００１３】
【図１】本発明の実施形態例に係る弾球遊技機の外観斜視図である。
【図２】図１に示す弾球遊技機の前面扉を開いた状態の外観斜視図である。
【図３】該弾球遊技機に備えられる本体枠の正面図である。
【図４】該弾球遊技機に備えられる前面扉の斜視図である。
【図５】図４に示す前面扉を裏面側から見た斜視図である。
【図６】該弾球遊技機に備えられるロック機構のロック状態を示す説明図である。
【図７】該ロック機構のアンロック状態を示す説明図である。
【発明を実施するための形態】
【００１４】
図１に示すように、本実施形態例に係る弾球遊技機（パチンコ機）は、遊技場の島設備に設置される縦長方形状の機枠１と、機枠１に扉状に開閉自在に取り付けられた本体枠２と、本体枠２の前面にヒンジ３を介して扉状に開閉自在に取り付けられた前面扉４等を備えており、前面扉４には透明板５が取り付けられている。
【００１５】
図２と図３に示すように、本体枠２の上部内側には遊技盤６が収納されており（図２は２点鎖線で示す）、この遊技盤６の盤面（前面）は透明板５を透して目視可能となっている。遊技盤６はガイドレール７等によって区画形成された遊技領域８を有しており、図示省略されているが、遊技領域８には可変表示装置や始動入賞口、一般入賞口、アタッカー装置、遊技釘、風車、アウト口等が設けられている。遊技盤６よりも下方の本体枠２は設置部２ａとなっており、この設置部２ａは前面扉４によって覆い隠されるようになっている。設置部２ａの左上部には遊技盤６の裏面に配設された球払出装置（不図示）の払出口９が開設されており、設置部２ａの左下隅部には第２係合部としての第２係合板１０が固定されている。また、設置部２ａの下部中央には遊技球を遊技領域８に向けて発射する発射装置１１が配設されており、発射装置１１の右斜め上方には第１ロック部材であるクランク形状の揺動レバー１２が配置されている。この揺動レバー１２は設置部２ａに植設された支軸１３に揺動可能に支持されており、揺動レバー１２はスプリング１４の引張力によって図３の時計回り方向へ付勢されている。揺動レバー１２の一端側（左上端）には第１作動部である第１フック片１２ａが形成されており、揺動レバー１２の中央付近には駆動部１２ｂが形成されている。
【００１６】
本体枠２の右側枠部にはシリンダ錠１５を有する施錠装置１６が設置されており、この施錠装置１６は本体枠２の裏面に配置された後部施錠杆（不図示）と本体枠２の前面に配置された前部施錠杆１７とを備えている。常態では、施錠装置１５の後部施錠杆により機枠１に対して本体枠２が施錠されると共に、前部施錠杆１７により本体枠２に対して前面扉４が施錠されている。そして、シリンダ錠１５の鍵穴１５ａに鍵１８（図７参照）を差し込み、この鍵１８を一方向（例えば時計回り）へ回動すると、後部施錠杆が上動して本体枠２が開錠されるようになっている。また、シリンダ錠１５の鍵穴１５ａに差し込んだ鍵１８を他方向（反時計回り）へ回動すると、前部施錠杆１７が上動して前面扉４が開錠されるようになっている。なお、この前部施錠杆１７の下端に前述した揺動レバー１２の他端側（右下端）が連結されており、詳細な動作については後述するが、前面扉４の開錠動作に伴って揺動レバー１２は支軸１３を中心として図３の反時計回り方向へシーソ動作するようになっている。さらに、本体枠２の左下隅部には大型のスピーカ１９が配設されており、このスピーカ１９は設置部２ａの外側に位置している。
【００１７】
図１と図４に示すように、前面扉４の前面上部には比較的小型のスピーカ２０が左右に１個ずつ配設されており、これらスピーカ２０の下側に透明板５を装着するための開口４ａが開設されている。また、前面扉４の前面下部には、払出口９から排出された遊技球を収容する上段受皿２１と、上段受皿２１から排出された遊技球を収容する下段受皿２２とが設けられており、上段受皿２１の右側方には発射装置１１の発射強度を調整するための操作ハンドル２３が配設されている。
【００１８】
前面扉４の左下隅部には円弧状の切欠き２４が形成されており、本体枠２の左下隅部に配設されたスピーカ１９は切欠き２４によって生じるスペース内に露呈している。そして、このような切欠き２４が前面扉４の左下隅部に形成されているため、前面扉４の左側部は切欠き２４よりも上方位置で一対のヒンジ３を介して本体枠２に軸着されている。また、前面扉４の右側部（開放端）には半トラック形状の逃げ孔２５が形成されており、この逃げ孔２５内に施錠装置１６のシリンダ錠１５が臨出するようになっている。
【００１９】
図２と図５に示すように、前面扉４の裏面下部には本体枠２から突出する発射装置１１の前端部を収納する凹部４ｂが形成されており、この凹部４ｂの上方の中央付近には第１係合部としての第１係合板２６が固定されている。また、凹部４ｂの周囲には中継レバー２７とスライドレバー２８が配置されており、これら中継レバー２７とスライドレバー２８によって第２ロック部材が構成されている。図６と図７に示すように、中継レバー２７は上端側の軸部２７ａを中心に前面扉４の裏面に回動可能に支持されており、軸部２７ａの近傍には受部２７ｂが形成され、軸部２７ａから離れた下端側には連結ピン２７ｃが形成されている。受部２７ｂは本体枠２に設けられた揺動レバー１２の駆動部１２ｂと接離可能であり、前面扉４が本体枠２の前面を覆う閉鎖状態にあるとき、駆動部１２ｂが受部２７ｂの上部と若干の隙間を介して対向することにより、本体枠２側の揺動レバー１２と前面扉４側の中継レバー２７とが動力伝達されるようになっている。
【００２０】
スライドレバー２８は前面扉４の下端部近傍に左右方向へ移動可能に支持されており、その一端側から起立する部分には長孔２８ａが穿設されている。この長孔２８ａ内には中継レバー２７の連結ピン２７ｃが挿入されており、中継レバー２７の回転運動が連結ピン２７ｃと長孔２８ａの係合部分を介してスライドレバー２８のスライド動作へ変換されるようになっている。また、スライドレバー２８の他端側（前面扉４の切欠き２４に対向する側）には第２作動部である第２フック片２８ｂが形成されており、スライドレバー２８はスプリング２９の引張力によって切欠き２４に近付く方向へ付勢されている。そして、前面扉４が本体枠２に対して施錠されているとき、本体枠２側に配設した揺動レバー１２の第１フック片１２ａを前面扉４の裏面中央部に設けた第１係合板２６に係止させると共に、前面扉４側に配設したスライドレバー２８の第２フック片２８ｂを切欠き２４の近傍で本体枠２の第２係合板１０に係止させることにより、前面扉４を本体枠２に対して第１係合板２６と第２係合板１０の２箇所で固定（ロック）するようになっている。なお、前述した第１ロック部材（揺動レバー１２）、第２ロック部材（中継レバー２７とスライドレバー２８）、第１係合部（第１係合板２６）、第２係合部（第２係合板１０）によって前面扉４のロック機構が構成されている。
【００２１】
次に、かかるロック機構の動作を図６と図７を参照して説明する。ここで、図６と図７のロック機構は図１のように閉じた状態の前面扉４を透視して示すものであり、前面扉４が開いた状態のロック機構（図２参照）とは、第１ロック部材（揺動レバー１２）に対する第２ロック部材（中継レバー２７とスライドレバー２８）の位置関係が表裏で逆に示されている。
【００２２】
図１に示すように、常態では、機枠１に対して本体枠２が施錠されると共に、本体枠２に対して前面扉４が施錠されているため、何人も内部の遊技盤６や電子機器等に触れることができないようになっている。この場合、図６に示すように、第１ロック部材である揺動レバー１２はロック位置に保持されており、このロック位置で第１フック片１２ａが第１係合板２６に係止している。また、第２ロック部材の構成部材であるスライドレバー２８もロック位置に保持されており、このロック位置で第２フック片２８ｂが第２係合板１０に係止している。すなわち、前面扉４は本体枠２に対して開放端側が施錠装置１６によって施錠されるだけでなく、裏面中央部の第１係合板２６と切欠き２４近傍の第２係合板１０との２箇所が確実に固定（ロック）された状態となっている。したがって、前面扉４の下辺中央部や切欠き２４の周囲を前側へ引張ったとしても、前面扉４は本体枠２から浮き難くなり、ピアノ線の挿入等の不正行為を確実に抑止することができる。
【００２３】
前面扉４を開錠する場合は、図７に示すように、前面扉４の前方からシリンダ錠１５の鍵穴１５ａに鍵１８を差し込み、この鍵１８を同図の反時計回りへ回動すると、前部施錠杆１７が上動して前面扉４との係合を解除するため、前面扉４は本体枠２に対して開錠される。そして、かかる前面扉４の開錠動作に伴って前部施錠杆１７に連結された揺動レバー１２の右端部が持ち上げられるため、揺動レバー１２が支軸１３を中心に反時計回り方向へシーソ動作してアンロック位置まで回動し、このアンロック位置で第１フック片１２ａが第１係合板２６から外れる。また、この揺動レバー１２の回動に伴って駆動部１２ｂが受部２７ｂに当接し、中継レバー２７を軸部２７ａを中心に図７の反時計回りへ回動させるため、中継レバー２７に連結されたスライドレバー２８が同図の右方へスライドしてアンロック位置まで移動し、このアンロック位置で第２フック片２８ｂが第２係合板１０から外れる。その結果、ロック機構による２箇所の固定がいずれも解除され、前面扉４はヒンジ３を支点として自在に開けることが可能になる。
【００２４】
また、開放された前面扉４を施錠する場合は、前面扉４を本体枠２側へ押し込むと、第１係合板２６が第１フック片１２ａの傾斜面に当接して揺動レバー１２を反時計回りへ回動させ、その後に揺動レバー１２がスプリング１４の引張力によってロック位置へと自動的に回動復帰する。同時に、第２フック片２８ｂの傾斜面が第２係合板１０に当接してスライドレバー２８を右方へスライド移動させ、その後にスライドレバー２８がスプリング２９の引張力によってロック位置へ自動復帰する。これにより、前面扉４は再び本体枠２に対して施錠されると共に、裏面中央部の第１係合板２６と切欠き２４近傍の第２係合板１０との２箇所が確実に固定された状態となる。
【００２５】
以上説明したように、本実施形態例に係る弾球遊技機では、前面扉４に設けた第１係合部（第１係合板２６）と係脱可能な第１ロック部材（揺動レバー１２）が本体枠２の設置部２ａに配設されていると共に、本体枠２に設けた第２係合部（第２係合板１０）と係脱可能な第２ロック部材（中継レバー２７とスライドレバー２８）が前面扉４の裏面に配設されており、施錠装置１６の鍵穴１５ａに差し込んだ鍵１８の開錠動作に伴って第１ロック部材と第２ロック部材をアンロック位置へ移動させるようにしたので、前面扉４を本体枠２に対して裏面中央部の第１係合板２６と切欠き２４近傍の第２係合板１０との２箇所で確実に固定することができる。しかも、第１ロック部材である揺動レバー１２と第２ロック部材である中継レバー２７およびスライドレバー２８とが、それぞれ本体枠２と前面扉４に振り分けて配設されているため、発射装置１１等の大型部品によって本体枠２と前面扉４との間のスペースが狭められていても、当該スペース内に可動部材である揺動レバー１２と中継レバー２７およびスライドレバー２８を無理なく配置することができる。
【００２６】
また、第１ロック部材が支軸１３を中心にシーソ動作する揺動レバー１２からなり、この揺動レバー１２の一端部に第１係合板２６と係脱可能な第１フック片（第１作動部）１２ａが形成されていると共に、第２ロック部材が、揺動レバー１２のシーソ動作によって回転する中継レバー２７と、この中継レバー２７の回転に連動して左右方向へ移動するスライドレバー２８とからなり、このスライドレバー２８の一端部に第２係合板１０と係脱可能な第２フック片（第２作動部）２８ｂが形成されているため、本体枠２側に配設された第１ロック部材（揺動レバー１２）から前面扉４側に配設された第２ロック部材（中継レバー２７とスライドレバー２８）に対して円滑かつ確実に動力伝達することができる。
【００２７】
また、本体枠２の下側隅部にスピーカ１９が配置されると共に、前面扉４のヒンジ３側の隅部にスピーカ１９を露呈させる円弧状の切欠き２４が形成されており、この切欠き２４の周縁内側で第２ロック部材であるスライドレバー２８の第２フック片２８ｂが第２係合部である第２係合板１０と係脱するようになっているため、本体枠２の下側隅部に大型のスピーカ１９を配置するという斬新なデザインを実現した上で、ヒンジ３から離れた切欠き２４近傍の浮きを防止して前面扉４を本体枠２に対して確実に固定することができる。
【００２８】
なお、上記実施形態例では、本体枠２の下側隅部に大型のスピーカ１９を配置した弾球遊技機について説明したが、本体枠２の下側隅部にスピーカ以外の突出物を配置すると共に、前面扉４のヒンジ３側の隅部にこの突出物を露呈させる切欠きを形成しても良く、このような弾球遊技機についても本発明は適用可能である。
【００２９】
また、上記実施形態例では、第１ロック部材をシーソ動作可能な揺動レバー１２で構成すると共に、第２ロック部材を回転可能な中継レバー２７とスライド可能なスライドレバー２８とで構成した場合について説明したが、第１ロック部材と第２ロック部材を他のリンク機構等によって構成することも可能であり、要は、鍵１８の開錠動作に連動してロック位置からアンロック位置へ移動する第１ロック部材が本体枠２に配設され、この第１ロック部材に連動してロック位置とアンロック位置との間を移動する第２ロック部材が前面扉４の裏面側に配設されていれば良い。
【００３０】
また、上記実施形態例では、下側隅部に切欠き２４が形成された前面扉４に透明板５や操作ハンドル２３等を一体的に設け、このような一体構造の前面扉４によって遊技盤６や設置部２ａを含めた本体枠２の前面を覆うようにした弾球遊技機について説明したが、透明板５側を覆う上部前面扉（ガラス扉）と設置部２ａ側を覆う下部前面扉（前面ボード）という上下に２分割された分割タイプの前面扉を用い、この下部前面扉の下側隅部に切欠き２４を形成した弾球遊技機についても本発明は適用可能である。
【符号の説明】
【００３１】
１  機枠
２  本体枠
２ａ  設置部
３  ヒンジ
４  前面扉
４ａ  開口
４ｂ  凹部
５  透明板
６  遊技盤
９  払出口
１０  第２係合板（第２係合部）
１１  発射装置
１２  揺動レバー（第１ロック部材）
１２ａ  第１フック片（第１作動部）
１２ｂ  駆動部
１３  支軸
１４  スプリング
１５  シリンダ錠
１５ａ  鍵穴
１６  施錠装置
１７  前部施錠杆
１８  鍵
１９  スピーカ
２３  操作ハンドル
２４  切欠き
２６  第１係合板（第１係合部）
２７  中継レバー（第２ロック部材）
２７ａ  軸部
２７ｂ  受部
２７ｃ  連結ピン
２８  スライドレバー（第２ロック部材）
２８ａ  長孔
２８ｂ  第２フック片（第２ロック部材）
２９  スプリング
【図１】
0005417210.tif 000002
【図２】
0005417210.tif 000003
【図３】
0005417210.tif 000004
【図４】
0005417210.tif 000005
【図５】
0005417210.tif 000006
【図６】
0005417210.tif 000007
【図７】
0005417210.tif 000008